(57)【特許請求の範囲】
【請求項１】
磁気テープが巻装されたリールハブの底部外面に回転駆動用の係合手段が設けられた単一のリールと、前記回転駆動用の係合手段を露呈させる回転駆動用開口が底部中央に形成された下ケースと該下ケースの上部に重ね合わせる上ケースとで前記リールを回転可能に収容するカートリッジケースとを備えた磁気テープカートリッジの成形金型であって、前記カートリッジケース側面であって少なくともデッキ脱着時に記録再生装置のカートリッジガイド部材と摺接する部分に摩擦抵抗を減らす凹凸面を形成するための、キャビティ内面をマット化した入れ子又はスライドコアを備えていることを特徴とする磁気テープカートリッジの成形金型。
【発明の詳細な説明】
【０００１】
【発明の属する技術分野】
本発明は磁気テープカートリッジに関し、特に、カートリッジケース内に磁気テープが巻装された単一のリールを回転可能に収容する磁気テープカートリッジの成形金型に関するものである。
【０００２】
【従来の技術】
従来、コンピュータ等の外部記憶装置に用いられる記録媒体として使用されている磁気テープカートリッジには、単一のリールに磁気テープを巻装したタイプのものがある。この磁気テープカートリッジはコンピュータ等のデータ保存として用いられ、重要な情報が記憶されているので、テープジャミング等のトラブルが発生しないように、また不用意に磁気テープが引き出されないように構成されている。
【０００３】
図２は前記磁気テープカートリッジの従来例を示したものである。
ここに示した磁気テープカートリッジ１は、上リール４と下リール５とを超音波溶着により結合した単一のリール３に磁気テープ２０を巻装し、上ケース２ａと下ケース２ｂとがビス１９等により締結されて成るカートリッジケース２内に前記リール３を回動自在に収納した構成である。
【０００４】
前記上リール４は、外周に磁気テープ２０が巻回される有底円筒状のリールハブ４２と、該リールハブ４２の上端外周から径方向に張り出したフランジ部４３とを合成樹脂により一体成形したもので、前記リールハブ４２の底部外面に回転駆動用の係合手段としての係止歯が刻設されると共に、前記フランジ部４３の外周縁には不使用時の回転を拘束する際にリールロック５０，５１が係合する制止用ギヤ４３ａが刻設されている。なお、図２に示すように、前記リールハブ４２の有底凹部は上方側に開放されている。
【０００５】
一方、前記下リール５は、前記リールハブ４２の底部外面を挿通させる開口５ａが中心部に形成された円盤状を成しており、超音波溶着により前記上リール４に一体化される。
前述のように上リール４と下リール５とを溶着して一体化させたリール３は、前記カートリッジケース２に組み込む際に、前記リールハブ４２の有底凹部にベアリング６が圧入固定され、更に、該ベアリング６の中心部の穴にスプリングプラグ７が圧入固定される。そして前記スプリングプラグ７に取り付けられたリールばね８が、前記リール３を下方側に付勢すると共に回転自在に保持する。
【０００６】
また、前記リール３は、カートリッジ不使用時に不測の回動をしないように、ブレーキ用のトーションばね１２による付勢力で前記制止用ギヤ４３ａに係合するリールロック５０，５１により係止される。又、前記磁気テープカートリッジ１はその不使用時に前記磁気テープ２０が完全に前記リール３に巻き込まれた状態で、磁気テープ端に取り付けられたリーダーテープ（磁気テープカートリッジ１を使用する記録再生装置が、前記磁気テープ２０を装置内の所定のテープ走行路に導入するための手段）２１がカートリッジ側面寄りに組み込まれたフック１８の先端部分に係止される。
【０００７】
カートリッジケース２を構成する上ケース２ａ及び下ケース２ｂの一側壁には、前記磁気テープ２０を引き出すための磁気テープ引き出し用開口部２４となる切り欠き２４ａ，２４ｂが形成されている。そして、前記磁気テープ引き出し用開口部２４の一方の隅部には、支軸１４及び支軸ボス部１４ａを中心にカートリッジ平面方向に開閉可能なリッド３０が、リッド付勢用のトーションばね１５によって適宜付勢されるように取り付けられている。更に、カートリッジ不使用時に回動しないように、前記リッド３０はリッドロックばね１６により適宜付勢されたリッドロック４０により係止されている。又、前記リッド３０と対向する反対側の側面には、ライトプロテクト片１７が組み込まれている。
【０００８】
そして、上述の磁気テープカートリッジ１が対応する外部記憶装置等の記録再生装置にセットされると、前記下ケース２ｂの中央部の開口２ｃに露呈している前記リール３の係止歯に装置側の回転駆動手段が係合すると共に、装置側のテープ引き出し機構により前記リッド３０が開かれて前記リーダーテープ２１がテープ走行路の所定位置に引き込まれ、前記磁気テープ２０へのデータの読み書きが可能になる。
【０００９】
【発明が解決しようとする課題】
ところで、前記記録再生装置におけるカートリッジガイド部材（図示せず）は、前記カートリッジケース２側面の一部（主として前記下ケース２ｂにおける前記支軸ボス部１４ａ近傍の側壁部２ｄの外周面）に対し、比較的強く接触しながら前記磁気テープカートリッジ１の出入運動の案内及び固定する機能を果たしている。
そこで、記録再生装置のデッキや磁気テープカートリッジ１の生産バラツキによって、摺動性の良くないガラスファイバー含有のポリカーボネート材で成形された前記下ケース２ｂの側壁部２ｄと前記カートリッジガイド部材との摩擦力が高くなり、前記磁気テープカートリッジ１のイジェクト不良を生じる可能性があった。
【００１０】
又、図２に示したようにコンピュータ等の外部記憶装置のデッキに対する矢印Ａ方向の挿入あるいは矢印Ｂ方向の離脱操作を繰り返すと、前記カートリッジガイド部材が接触する前記側壁部２ｄの特に所定の間隔を以て併設した一対のシステム判別リブ８０，８１間には、外観を損なうようなスリ傷Ｄが生じるという問題があった。
【００１１】
従って、本発明の目的は上記課題を解消することに係り、記録再生装置のデッキに対する着脱適性が向上した良好な磁気テープカートリッジの成形金型を提供することである。
【００１２】
本発明の上記目的は、磁気テープが巻装されたリールハブの底部外面に回転駆動用の係合手段が設けられた単一のリールと、前記回転駆動用の係合手段を露呈させる回転駆動用開口が底部中央に形成された下ケースと該下ケースの上部に重ね合わせる上ケースとで前記リールを回転可能に収容するカートリッジケースとを備えた磁気テープカートリッジの成形金型であって、前記カートリッジケース側面であって少なくともデッキ脱着時に記録再生装置のカートリッジガイド部材と摺接する部分に摩擦抵抗を減らす凹凸面を形成するための、キャビティ内面をマット化した入れ子又はスライドコアを備えていることを特徴とする磁気テープカートリッジの成形金型により達成される。
【００１３】
上記構成によれば、デッキ脱着時に記録再生装置のカートリッジガイド部材と摺接する前記カートリッジケース側面の一部が、凹凸面によって摩擦抵抗を減らされる。又、前記凹凸面により、外観を損なうようなスリ傷が目立たなく成る。尚、好ましくは前記凹凸面が、７μｍ〜２５μｍの表面あらさ（Ｒｚ）を有するシボ面により形成される。
又、好ましくは前記凹凸面が、カートリッジのデッキ脱着方向に沿った平目ローレット状の凹凸により形成される。
【００１４】
【発明の実施の形態】
以下、添付図面に基づいて本発明の磁気テープカートリッジの一実施態様について詳述する。なお、本発明の磁気テープカートリッジは下ケース６０を除く他の部材が、図２に示した従来の磁気テープカートリッジ１と同等の構成を採るので、同一の符号を付して詳細な説明を省略する。
【００１５】
本発明に係る磁気テープカートリッジの下ケース６０は、図２に示した従来の下ケース２ｂと同様に、上ケース２ａと共に偏平なカートリッジケースを形成しており、その一側壁には、磁気テープ２０を引き出すための磁気テープ引き出し用開口部２４となる切り欠き２４ｂが形成されている。
そして、前記下ケース６０における側壁部６１の特に所定の間隔を以て併設した一対のシステム判別リブ８０，８１間には、凹凸面であるシボ面６２が形成されている。
【００１６】
前記シボ面６２は、成形金型のキャビティ内面を梨地状にマット化して、所謂シボ加工することによって形成される。ここで、前記下ケース６０の側壁部６１を成形する成形金型の一部は、カートリッジの仕様によって長さの異なる前記システム判別リブ８０，８１の成形を容易とする為、これらシステム判別リブ８０，８１近傍が例えば入れ子と成っている。
【００１７】
そこで、キャビティ内面をマット化した入れ子を用いるだけで、従来の下ケース２ｂ用の成形金型を利用したまま前記シボ面６２を形成することができる。
又、前記システム判別リブ８０，８１近傍の成形金型の一部をスライドコアとすることにより、該スライドコアのキャビティ内面をマット化し、前記シボ面６２を形成しても良い。
【００１８】
即ち、上記下ハーフ６０を備えた磁気テープカートリッジによれば、記録再生装置のデッキに対する矢印Ａ方向の挿入あるいは矢印Ｂ方向の離脱操作時にカートリッジガイド部材（図示せず）と摺接する前記側壁部６１のシステム判別リブ８０，８１近傍には、摩擦抵抗を減らす前記シボ面６２が形成されており、記録再生装置のデッキや磁気テープカートリッジの生産バラツキに起因するカートリッジガイド部材との過度な接触が生じても、該シボ面６２により前記側壁部６１と前記カートリッジ部材との摩擦力を低減することができるので、磁気テープカートリッジのイジェクト不良を防止することができる。
【００１９】
又、デッキ脱着操作の繰り返しにより前記側壁部６１のシステム判別リブ８０，８１近傍とカートリッジガイド部材との間ににスリ傷が生じても、予め施した前記シボ面６２の粗面パターンによって目視が困難になり目立たないので、外観を著しく損ねることもない。
ここで、上記シボ面６２は、実験データに基づく磁気テープカートリッジの着脱適性及び成形安定性の観点から、約７μｍ〜２５μｍの表面あらさ（Ｒｚ；カットオフ値＝０．８ｍｍ）に設定することが好ましい。
【００２０】
尚、本発明の凹凸面は、上記実施形態における梨地状のシボ面６２に限定されるものではなく、例えばカートリッジのデッキ脱着方向に沿った平目ローレット状の凹凸により形成することもできる。
又、前記凹凸面は、上記実施形態におけるシボ面６２のように、前記側壁部６１のシステム判別リブ８０，８１近傍にのみ設ける必要はなく、該側壁部６１の全面に設けても良い。
【００２１】
以上、上述した本発明に係る磁気テープカートリッジの成形金型によれば、前記カートリッジケース側面であってデッキ脱着時に記録再生装置のカートリッジガイド部材と摺接する部分が、凹凸面によって摩擦抵抗を減らされ、カートリッジガイド部材との過度な接触が生じても、該凹凸面により前記カートリッジ部材との摩擦力を低減することができることによってイジェクト不良を防止することができる磁気テープカートリッジを得ることができる。
【００２２】
又、本発明に係る磁気テープカートリッジの成形金型によれば、デッキ脱着操作の繰り返しにより前記カートリッジケース側面の一部とカートリッジガイド部材との間にスリ傷が生じても、予め施した前記凹凸面の粗面パターンによって目視が困難になり目立たないので、外観を著しく損ねることがない磁気テープカートリッジを得ることができる。従って、記録再生装置のデッキに対する着脱適性が向上した良好な磁気テープカートリッジを提供できる。
【図面の簡単な説明】
【図１】本発明に基づく磁気テープカートリッジの下ケースの全体斜視図である。
【図２】単一のリールを使用する従来の磁気テープカートリッジの分解斜視図である。
【符号の説明】
１    磁気テープカートリッジ
２    カートリッジケース
２ａ  上ケース
３    リール
４    上リール
５    下リール
６０    下ケース
６１    側壁部
６２    シボ面
８０    システム判別用リブ
８１    システム判別用リブ
【図１】
0003575658.tif 000002
【図２】
0003575658.tif 000003